(57)【要約】【課題】  異常情報が記憶されているときには、その異常情報の維持を優先するように動作する加熱調理器を提供する。【解決手段】  電源手段４１から電力の供給を受けて加熱手段Ｋの作動を制御する制御手段Ｈが設けられた加熱調理器であって、制御手段Ｈが、異常情報を記憶していないときに電源スイッチ４０がオンからオフにされると、電源手段４１からの電力の供給を停止させ、加熱手段Ｋの異常情報を記憶しているときに電源スイッチ４０がオンからオフにされると、電源手段４１からの電力の供給を継続させるように構成されている。【選択図】  図８
2005106338.tif 000002
【特許請求の範囲】
【請求項１】
電源手段から電力の供給を受けて加熱手段の作動を制御する制御手段が設けられた加熱調理器であって、
前記制御手段が、異常情報を記憶していないときに電源スイッチがオンからオフにされると、前記電源手段からの電力の供給を停止させ、前記異常情報を記憶しているときに前記電源スイッチがオンからオフにされると、前記電源手段からの電力の供給を継続させるように構成されている加熱調理器。
【請求項２】
前記異常情報が、前記電源手段からの電力の供給が停止したときに消去されるように構成されている請求項１に記載の加熱調理器。
【請求項３】
前記制御手段が、前記異常情報を記憶しているときに前記加熱手段を点火禁止状態に制御するように構成されている請求項１又は２記載の加熱調理器。
【発明の詳細な説明】
【技術分野】
【０００１】
本発明は、電源手段から電力の供給を受けて加熱手段の作動を制御する制御手段が設けられた加熱調理器に関する。
【背景技術】
【０００２】
かかる加熱調理器は、従来では、ガスバーナーなどの加熱手段の作動を制御する制御手段へ電源手段から電力を供給されるように構成され、制御手段への通電を制御する電源スイッチがオフからオンにされたときに、制御手段への電力の供給が開始され、電源スイッチがオンからオフにされたときに、制御手段への電力の供給が停止されるように構成されていた（例えば、特許文献１参照）。
【０００３】
また、加熱調理器内の特定の構成部品に異常が発生したときにはその異常情報を制御手段において記憶しておき、その異常を原因とする事故等が加熱調理器において発生しないように、制御手段が加熱手段の動作に制限を加えることを行っていた。
【特許文献１】特公平３−２２５３７号公報
【発明の開示】
【発明が解決しようとする課題】
【０００４】
上述のように、かかる加熱調理器では、電源スイッチがオンからオフにされて使用されなくなると、使用されていない間は無駄な電力の消費を避けるために制御手段への電力の供給を停止していた。特に、電源手段として電池を用いているときには、電池の消耗を避けるために、加熱調理器を使用していないときには制御手段への電力の供給を停止しておく必要がある。ところが、電源スイッチがオンからオフにされ、制御手段への電力の供給が停止されると、制御手段に記憶されている加熱調理器の異常情報が消去されることになる。その結果、次に電源スイッチがオフからオンにされて制御手段への電力の供給が開始されたときにその異常情報を引き継ぐことができないため、異常の存在が認識されないまま加熱調理器が作動されて事故が発生する可能性がある。
【０００５】
本発明は、上記の課題に鑑みてなされたものであり、その目的は、異常情報が記憶されているときには、その異常情報を記憶し続けるように動作する加熱調理器を提供する点にある。
【課題を解決するための手段】
【０００６】
上記目的を達成するための本発明に係る加熱調理器の第１特徴構成は、電源手段から電力の供給を受けて加熱手段の作動を制御する制御手段が設けられた加熱調理器であって、前記制御手段が、異常情報を記憶していないときに電源スイッチがオンからオフにされると、前記電源手段からの電力の供給を停止させ、前記異常情報を記憶しているときに前記電源スイッチがオンからオフにされると、前記電源手段からの電力の供給を継続させるように構成されている点にある。
【０００７】
上記第１特徴構成によれば、制御手段が、異常情報を記憶していないときに電源スイッチがオンからオフにされると、電源手段から自身への電力の供給を停止させるように構成されているので、電源スイッチがオンからオフにされて加熱調理器が使用されていない間は制御手段において電力が消費されないような省電力型にすることができ、異常情報を記憶しているときに電源スイッチがオンからオフにされると、電源手段からの電力供給を継続させるように構成されているので、電源スイッチがオンからオフにされた後も制御手段が記憶している異常情報が継続して記憶されるように構成することができる。その結果、異常情報が記憶されているときには、電源スイッチがオンからオフにされて加熱調理器の使用が停止されたとしても、次に電源スイッチがオフからオンにされて加熱調理器の使用が開始されるときには、記憶され続けている異常情報を認識して事故の発生を防止することができる。
従って、異常情報が記憶されているときには、その異常情報を継続して記憶し続けるように動作する加熱調理器を提供することができる。
【０００８】
本発明に係る加熱調理器の第２特徴構成は、上記第１特徴構成に加えて、前記異常情報が、前記電源手段からの電力の供給が停止したときに消去されるように構成されている点にある。
【０００９】
上記第２特徴構成によれば、記憶されている上記異常情報を電源手段からの電力の供給を停止して消去することができるように構成されているので、例えば、加熱調理器にインストールされる異常情報消去用の特別なソフトウェアプログラムを、加熱調理器に既存のスイッチ又はスイッチの組み合わせ、或いは、異常情報消去用に別途設けられる専用のスイッチに対する操作入力に基づいて実行して、上記異常情報を消去するといった複雑な装置構成及び制御が不要となる。
【００１０】
本発明に係る加熱調理器の第３特徴構成は、上記第１又は第２特徴構成に加えて、前記制御手段が、前記異常情報を記憶しているときに前記加熱手段を点火禁止状態に制御するように構成されている点にある。
【００１１】
上記第３特徴構成によれば、上記異常情報を記憶しているときには上記加熱手段が点火禁止状態に制御されるように構成されるので、上記異常情報に関する原因の事故が上記加熱手段で発生しないようにすることができる。
【発明を実施するための最良の形態】
【００１２】
図１及び図２に示すように、加熱調理器としてのガスコンロは、３つのコンロバーナー１ａ，１ｂ，１ｃ、および、グリルバーナー２を備えるグリル部３を備えたビルトインタイプのガスコンロにて構成されており、３つのコンロバーナー１ａ，１ｂ，１ｃは標準バーナー１ａと、小バーナー１ｂと、高火力バーナー１ｃとによって構成されている。そして、グリル部３の燃焼排ガスを排気するためのグリル排気口４が形成され、トッププレート５にてガスコンロ上面が覆われており、このトッププレート５の上部に、標準バーナー１ａ、小バーナー１ｂ及び高火力バーナー１ｃに対する被加熱物（鍋など）を受け止め支持するための五徳６が載置支持されている。また、ガスコンロ前側面には、標準バーナー１ａ、小バーナー１ｂ及び高火力バーナー１ｃとグリルバーナー２との点火及び消火や火力調節と各種の設定とを指令する手動操作部Ｓが設けられ、マイクロコンピュータを備えて各種の制御を実行するように構成された制御部Ｈ（制御手段の一例）が、その手動操作部Ｓにて指令された運転状態に基づいて、標準バーナー１ａ、小バーナー１ｂ及び高火力バーナー１ｃとグリルバーナー２を制御するように構成されている。つまり、この実施形態では標準バーナー１ａ、小バーナー１ｂ及び高火力バーナー１ｃとグリルバーナー２とが夫々、ガス燃焼式の加熱手段Ｋを構成する。また、ガスコンロ前側面には自動復帰型の押し操作式の電源スイッチ４０も設けられている。
【００１３】
図２に示すように、標準バーナー１ａ、小バーナー１ｂ及び高火力バーナー１ｃの夫々には、点火手段としての点火プラグ７及び着火状態を検出する熱電対８が設けられており、グリルバーナー２は上面バーナー２ａと左右一対の下面バーナー２ｂ，２ｃとを備えた両面バーナーにて構成されて、上面バーナー２ａ及び左右一対の下面バーナー２ｂ，２ｃの夫々にも点火手段としての点火プラグ７及び着火状態を検出するための熱電対８等が備えられている。又、標準バーナー１ａには、五徳６にて載置支持された被加熱物の底面部に接触して、被加熱物の温度を検出する温度センサ１０が設けられ、グリル部３には、グリル庫内の温度を検出する温度センサ（図示せず）が設けられている。
【００１４】
前記標準バーナー１ａ、小バーナー１ｂ及び高火力バーナー１ｃとグリルバーナー２とへのガス供給構成について説明すると、元ガス供給路１１には元ガス電磁弁１２が設けられ、この元ガス供給路１１から、標準バーナー用分岐路１３ａ、小バーナー用分岐路１３ｂ、高火力バーナー用分岐路１３ｃ、グリルバーナー用分岐路１３ｄの４系統に分岐しており、グリルバーナー２へのグリルバーナー用分岐路１３ｄは、さらに、上面バーナー用の分岐路と下面バーナー用分岐路とに分岐してそれらの分岐路には夫々、オリフィスｏｆ付きの流路１５と開閉式電磁弁１６を備えたバイパス路１７が設けられている。そして、標準バーナー用分岐路１３ａ、小バーナー用分岐路１３ｂ、高火力バーナー用分岐路１３ｃ、および、グリルバーナー用分岐路１３ｄの夫々には、ステッピングモータの駆動によってガス量を調整して前記各バーナーの加熱量を調整する流量制御弁１８が備えられている。
【００１５】
この流量制御弁１８は、図３に示すように、駆動源としてのステッピングモータ１９と、このステッピングモータ１９の回転操作をスライド移動操作に変更させるネジ送り式の移動操作機構２０と、ガス通過用の挿通孔２１が形成されたスライド閉子２２と、複数のガス通過用の調整孔２３を形成した流量調整板２４等を備えて構成されている。そして、前記スライド閉子２２と流量調整板２４とによってガス量を変更可能な流量調整部２５が構成されている。つまり、図３に示すようにガス流路を遮蔽する状態でスライド閉子２２と流量調整板２４とがバネ２６によって圧接される状態で相対的にスライド自在に設けられ、ステッピングモータ１９を駆動することでスライド閉子２２をスライド移動させながら、図４に示すように、スライド閉子２２に形成された挿通孔２１が流量調整板２４の調整孔２３と重なり合う面積合計を変更させることで、バーナーへのガス供給量を変更調整自在な構成となっている。尚、前記スライド閉子２２のスライド移動量はスライド移動検出センサ２７によって検出される構成となっている。
【００１６】
次に、図５から図７を参照して前記手動操作部Ｓの構成について説明する。ガスコンロ前側面には、手動操作部Ｓとして、標準バーナー１ａ、小バーナー１ｂ及び高火力バーナー１ｃの夫々に対して各別に点火及び消火や火力調節を指令するための３つの加熱状態調節部２８と、調理の設定を指令する設定入力パネル５０と、グリルバーナー２に対して点火及び消火や火力調整を指令するための設定入力パネル６０とが設けられている。これら３つの加熱状態調節部２８は同じ構成であるから、そのうちの標準バーナー１ａに対する加熱状態調節部２８を代表として構成を以下に説明し、他のものについては説明を省略する。又、設定入力パネル５０及び設定入力パネル６０は開閉式になっている。
【００１７】
図５及び図６に示すように、加熱開始及び加熱停止を指令する押し操作式の点火スイッチ３２がガスコンロの前面パネル２９の内部に設けられ、前面パネル２９に形成した挿通孔３０を通して裏面側から挿通する状態で円筒状の回転操作部３１が設けられている。そして、この回転操作部３１は、その回転軸心方向の移動により、前記点火スイッチ３２を加熱停止を指令する状態に操作する加熱停止用の押し込み位置と、その押し込み位置よりも突出して点火スイッチ３２を加熱開始を指令する状態に操作する加熱用の突出位置とに切り替え自在に構成され、且つ、前記突出位置にて前記燃料供給量を調整すべく回転操作自在に構成されている。
【００１８】
説明を加えると、回転操作部３１は、押し操作される毎に回転軸心方向に移動して、図示しない位置保持機構によって、前面パネル２９とほぼ面一になる押し込み位置と前方に突出する突出位置とに切り替え自在に構成され、回転操作部３１が前記突出位置に切り替えられているときに、正転方向及び逆転方向の夫々にその軸心周りで回動操作可能となるように構成されている。そして、この回転操作部３１が押し込み位置に切り替えられるとそれに伴って点火スイッチ３２がＯＦＦ（オフ）状態となり、回転操作部３１が突出位置に切り替えられるとそれに伴って点火スイッチ３２がＯＮ（オン）状態となるように連動して切り替わる構成となっている。この点火スイッチ３２の切り替え信号は制御部Ｈに入力されており、制御部Ｈはこの点火スイッチ３２がＯＮ状態に切り替わると標準バーナー１ａに対する点火作動を開始し、ＯＦＦ状態に切り替わると標準バーナー１ａの燃焼作動を停止するように構成されている。
【００１９】
又、前記前面パネル２９の内部には、回転操作部３１の回転操作に伴ってパルス信号を出力するパルス発生手段としてのロータリーエンコーダ３３が設けられている。つまり、このロータリーエンコーダ３３の操作軸３４に前記回転操作部３１が一体回動自在に且つ軸心方向での相対移動を許容する状態で接続されている。このロータリーエンコーダ３３は、回転操作部３１の一方向への回転操作に伴って２つのパルス信号のうちの一方のパルス信号が他方のパルス信号より位相が進み、回転操作部３１の他方向への回転操作に伴って前記他方のパルス信号が前記一方のパルス信号より位相が進む状態で、回転操作部３１の回転操作に伴って互いに異なる位相の２つのパルス信号を出力するように構成されている。つまり、このロータリーエンコーダ３３は、２つの出力端子を備えており、その２つの出力端子から上述したような位相の異なるパルス信号が出力される構成である。このようなロータリーエンコーダ３３は周知のものであるから詳細な構成についての説明は省略する。前記回転操作部３１、点火スイッチ３２、ロータリーエンコーダ３３によって加熱状態調節部２８が構成され、回転操作部３１とロータリーエンコーダ３３とによって手動操作にて加熱量の増大又は減少を指令する加熱調整量指令手段が構成されている。又、前記点火スイッチ３２によって加熱開始及び加熱停止を指令する手動式の加熱開始指令手段が構成され、この点火スイッチ３２が、押し操作を行う毎にガス燃焼式の加熱手段の加熱開始及び加熱停止を交互に指令する押し操作式のスイッチにて構成されることになる。又、回転操作部の軸心方向への押し移動操作に伴って点火スイッチ３２にて加熱開始及び加熱停止が交互に指令される構成となっている。
【００２０】
図７に示すように、前記前面パネル２９の外面側において前記各回転操作部３１の周囲には加熱量を表示する複数のＬＥＤランプ３５を並べる状態で加熱量を表示する表示手段としての火力表示部３６が設けられている。この火力表示部３６は複数のＬＥＤランプ３５をレベルメータとして用いて回転操作部３１にて設定された火力（加熱量）の大きさをいずれかのＬＥＤランプ３５を点灯させて表示する構成となっている。この実施形態では、火力の大きさが最小火力から最大火力まで、標準バーナー１ａ及び高火力バーナー１ｃでは５段階に変更調整でき、小バーナー１ｃでは３段階に変更調整できる構成となっている。
【００２１】
そして、制御部Ｈは、ロータリーエンコーダ３３にて発生するパルス信号に基づいて、前記燃料供給量を調整するように流量制御弁１８の作動を制御するよう構成されている。つまり、制御部Ｈは、ロータリーエンコーダ３３から出力される前記パルス信号に基づいて、回転操作部３１の回転操作方向並びに回転操作量を判別するとともに、その判別した回転操作方向並びに回転操作量に対応させて標準バーナー１ａの加熱量を調整することになるが、そのとき、ロータリーエンコーダ３３から出力される２つのパルス信号のデータを予め定めた設定単位時間毎に繰り返し読み込み、その読み込まれた前記２つのパルス信号のデータにおけるデータパターンに基づいて、回転操作部３１の回転操作方向並びに回転操作量を判別するように構成されている。
【００２２】
又、このガスコンロには報知音を発生する報知作動を行う報知手段としてのブザー３７が備えられており、制御部Ｈは、点火スイッチ３２にて加熱開始が指令されてから点火プラグが点火作動を開始するまでの間報知作動させるようにブザー３７の作動を制御するように構成され、又、流量制御弁１８が調整可能範囲の最大加熱量に調整されているときに回転操作部の回転操作によって加熱量の増大が指令される過大操作条件が成立したとき、及び、流量制御弁１８が調整可能範囲の最小加熱量に調整されているときに回転操作部の回転操作によって加熱量の減少が指令される過小操作条件が成立したときに、報知作動させるようにブザー３７の作動を制御するよう構成されている。
【００２３】
次に、図８及び図９を参照して、ガスコンロの電源スイッチ４０がＯＮにされてガスコンロの使用（各バーナーの燃焼）が行われた後、電源スイッチ４０がＯＦＦにされるまでの一連の制御フローを説明する。電源スイッチ４０は上述した回転操作部３１とは異なる自動復帰型のスイッチであり、電源スイッチ４０のＯＦＦ状態からの押し操作は電源のＯＮ指令と認識し、電源スイッチ４０のＯＮ状態からの押し操作は電源のＯＦＦ指令と認識する。
【００２４】
電源スイッチ４０のＯＮ操作が０．３秒以上継続した場合には（ステップ１０）、電源制御部４２は電源（電源手段の一例）４１から制御部Ｈへの電力の供給を開始して、制御部Ｈはガスコンロの動作開始制御を行う（ステップ２０）。そして、制御部Ｈは、ガスコンロの動作が開始された後、手動操作部Ｓによる指令に応じて元ガス電磁弁１２及び流量制御弁１８に対して適切な駆動信号を与えて開弁させ、点火プラグ７に駆動信号を与えて点火作動させることにより点火・燃焼制御（ステップ３０）が行われる。この点火・燃焼制御は各バーナーの点火・消火の制御や火力調整の制御を、操作者による手動操作部Ｓの操作に応じて行うものである。
また、各バーナーが燃焼中であるか否かに拘わらず、電源スイッチ４０が０．１秒以上ＯＦＦ操作されたか否かを監視しており（ステップ４０）、０．１秒以上ＯＦＦ操作されない間は、ステップ３０の点火・燃焼制御を継続する。他方で、ステップ４０にて電源スイッチ４０が０．１秒以上ＯＦＦ操作されたと判定した場合、制御部Ｈは、ガスコンロの各バーナーが燃焼中であるか否かの判定を行う（ステップ５０）。そして、燃焼中のバーナーが存在する場合には、ステップ６０に移行して全てのバーナーを消火させる全消火制御を行い、ステップ７０に移行する。この全消火制御では、制御部Ｈは、元ガス電磁弁１２に駆動信号を与えて閉弁し、流量制御弁１８に駆動信号を与えてその閉位置に移動させるように制御する。ステップ５０にて燃焼中のバーナーが存在しない場合、つまり、既にバーナーの消火処理制御が正常に行われている場合、及び、ステップ６０にて全消火制御を行った場合には動作停止制御を実行して（ステップ７０）一連の制御フローを終了する。
【００２５】
以下に上述の動作開始制御（図９のステップ２０）、点火・燃焼制御（図９のステップ３０）、及び、動作停止制御（図９のステップ７０）における動作フローについて図１０から図１２を夫々参照して詳細に説明する。
【００２６】
図１０に示す動作開始制御では、電源４１から制御部Ｈに電力の供給が開始された後の制御部Ｈの動作フローが示されている。この動作開始制御のステップ２１において、演算処理を行うＭＰＵ（Ｍｉｃｒｏｐｒｏｓｅｓｓｉｎｇ  Ｕｎｉｔ）とメモリとが集積されたマイクロコンピュータを備えて構成される制御部Ｈは、メモリに記憶されている情報を読み込む。この制御部Ｈが備えるメモリは、制御部Ｈへの電力の供給（つまり、ＭＰＵ及びメモリへの電力の供給）が停止されると記憶している情報が消去される揮発性のメモリであり、記憶されている情報にはガスコンロに関する故障情報が含まれている。ガスコンロの故障情報としては、各バーナーの立ち消え情報、点火不良情報、元ガス電磁弁故障情報、グリル爆着防止情報、ステッピングモータ故障情報などがあり、その内の元ガス電磁弁故障情報、グリル爆着防止情報、ステッピングモータ故障情報は特に重要な重度故障情報として扱われる。
【００２７】
次に制御部Ｈは、上記メモリから読み込んだ故障情報に重度故障情報（異常情報の一例）が有るか否かを判別する（ステップ２２）。そして、制御部Ｈは、重度故障情報が含まれているときには、ブザー３７にてブザー鳴動を行って操作者に対して故障報知を行う。これにより、操作者はガスコンロに故障などの重大な異常が発生していることを認知することができる。そして、制御部Ｈは、点火操作禁止信号をＯＮ（点火禁止状態）に設定して（ステップ２３、２４）、図９に示す一連の制御フローにリターンする。他方で、制御部Ｈは、上記メモリから読み込んだ故障情報に重度故障情報が含まれていないときには、点火操作禁止信号をＯＦＦに設定して（ステップ２５）、図９に示す一連の制御フローにリターンする。つまり、上記メモリに重度故障情報が含まれているときには、安全性を考慮して以後のバーナーの点火が許可されず（点火操作禁止信号ＯＮ）、重度故障情報が含まれていないときにはバーナーの点火が許可される（点火操作禁止信号ＯＦＦ）ことになるので、ガスコンロの重度故障時に点火作動が実行された場合に発生し得る事故を未然に防止することができる。
【００２８】
安全性を考慮して各バーナーの点火が許可されないような重度故障情報としては、上述のように元ガス電磁弁故障情報、グリル爆着防止情報、ステッピングモータ故障情報がある。
元ガス電磁弁故障情報は、元ガス電磁弁１２を駆動するための回路が正常に作動し、且つ、正常に駆動信号が与えられているにも拘わらず、元ガス電磁弁１２自体の故障や元ガス電磁弁１２に異物が挟まるなどして、正常に閉弁できない状態にあることを示す故障情報である。詳細には、開弁している流量制御弁１８が１つだけになり、且つ、元ガス電磁弁１２に対して閉弁のための駆動信号が出力されたとき、制御部Ｈは、元ガス電磁弁の「開」故障チェックモードへ移行する。そして、制御部Ｈは、「開」故障チェックモードへ移行してから３０秒以内に、流量制御弁１８が開状態を維持しているバーナーが断火状態となったときには元ガス電磁弁１２が「正常」であると判定し、故障チェックを終了する。他方で、制御部Ｈは、３０秒以内に断火状態とならないときには元ガス電磁弁１２が開いていると判断して、元ガス電磁弁の「開」故障認知回数に１加算する。そして、制御部Ｈは、元ガス電磁弁１２の「開」故障認知回数が３に達した時点で、元ガス電磁弁１２が故障しているという判定を確定し、元ガス電磁弁故障情報として上記メモリに記憶させる。
【００２９】
グリル爆着防止情報は、グリル庫内に多量の生ガスが充満した状態で点火プラグ７が点火作動されることを防止するための故障情報である。具体的には、グリルバーナー２が設定パネル６０を用いて点火操作されて、元ガス電磁弁１２及び流量制御弁１８が開弁され、且つ、点火プラグ７が点火作動された場合、操作者が点火不良によりグリルバーナー２が点火する前に点火ＯＦＦ及び点火ＯＮの操作を設定パネル６０を用いて複数回以上繰り返すとグリル庫内に多量の生ガスが充満した状態が形成される。従って、制御部Ｈは、上述のように点火ＯＦＦ及び点火ＯＮの操作が複数回以上繰り返されたときには、生ガスがグリル庫内に充満した状態で点火プラグ７が点火作動されることを防止するために、故障情報としてグリル爆着防止情報を記憶し、一定時間、点火プラグ７の点火作動を禁止する。
【００３０】
ステッピングモータ故障情報は、各バーナーの流量制御弁１８を開閉駆動するステッピングモータ１９の全閉位置信号が検出できない状態を示す故障情報である。この故障情報を重度故障情報とするのは、流量制御弁１８のステッピングモータ１９が全閉位置であることが検出されなければ、流量制御弁１８の開度調節、つまりバーナーの火力調節を適切に行うことができず危険だからである。詳細には、ガスコンロの電源スイッチ４０がＯＦＦ（オフ）からＯＮ（オン）にされたガスコンロの使用開始時に、ステッピングモータ１９の初期位置合わせとガス通路の遮断のために、各バーナーのステッピングモータ１９が全閉位置に位置しているか否かを確認し、全閉位置でないステッピングモータ１９については全閉位置まで駆動させる必要があるのだが、その際にステッピングモータ１９が全閉位置に位置していることを示す全閉位置信号が検出できないときには、その状態を重度故障情報として記憶する。
【００３１】
図１１に示す点火・燃焼制御は、図９に示した点火・燃焼制御における制御部Ｈの動作制御フローである。まず制御部Ｈは、点火スイッチ３２がＯＮ操作されたか否かを判定する（ステップ３１）。点火スイッチ３２がＯＮ操作されたときには、制御部Ｈは、図１０を参照して説明した動作開始制御において点火操作禁止信号がＯＮ（点火禁止状態）に設定されたのか、又は、点火操作禁止信号がＯＦＦに設定されたのかの判定を行う（ステップ３２）。そして制御部Ｈは、点火操作禁止信号がＯＦＦであるときには、点火スイッチ３２のＯＮ操作に応じて元ガス電磁弁１２及び流量制御弁１８を開弁し、点火プラグ７から火花を飛ばして点火作動を実行させる（ステップ３３）。つまり、上記メモリに重度故障情報が記憶されておらず点火操作禁止信号がＯＦＦに設定されているときには、点火作動をさせても事故が発生しないので、制御部Ｈは、点火スイッチ３２のＯＮ操作に応じた点火作動を行う。
他方で、制御部Ｈは、点火操作禁止信号がＯＮ（点火禁止状態）であるとき、つまり、上記メモリに重度故障情報が記憶されているときには、点火作動をさせると事故が発生する可能性があるので、点火スイッチ３２のＯＮ操作を無視して、バーナーの点火作動を行わずに、図９に示す一連の制御フローにリターンする。
【００３２】
図１２に示す動作停止制御では、制御部Ｈが、上記メモリに故障情報が記憶されているか否かを判定する（ステップ７１）。そして、故障情報が記憶されていないときには、制御部Ｈから電源制御部４２へ電源保持信号ＯＦＦの指令が与えられ（ステップ７１、７４）、その結果、制御部Ｈに対する電力の供給が停止される。また、故障情報が記憶されていたとしても、重度故障情報が記憶されていないときには、制御部Ｈから電源制御部４２へ電源保持信号ＯＦＦの指令が与えられ（ステップ７１、７２、７４）、その結果、制御部Ｈに対する電力の供給が停止される。そして、上記メモリに記憶されている情報が消去される。
他方で、上記メモリに重度故障情報が記憶されているときには、制御部Ｈから電源制御部４２へ電源保持信号ＯＮの指令が与えられ続け（ステップ７１、７２、７３）、その結果、制御部Ｈに対する電力の供給が継続される。そして、上記メモリには重度故障情報が継続して記憶され続けるので、制御部Ｈは、次に電源スイッチ４０がオフからオンにされた場合の動作開始制御（図１０）において、上記メモリに記憶されている重度故障情報を読み込んで、点火作動の可否を判定することができる。
【００３３】
以上のように、制御部Ｈが、重度故障情報を記憶していないときに電源スイッチ４０がＯＮからオフにされると、電源４１から自身への電力の供給を停止させるように構成されているので、ガスコンロが使用されていない間は制御部Ｈにおいて電力が消費されないような省電力型のガスコンロとすることができ、重度故障情報を記憶しているときに電源スイッチ４０がＯＮからオフにされると、電源４１から自身への電力供給を継続させるように構成されているので、次に電源スイッチ４０がオフからオンにされてガスコンロが使用されるときにその重度故障情報を認識できるように、制御部Ｈが、その重度故障情報を継続して記憶し続けるように動作するガスコンロを提供することができる。
【００３４】
＜別実施形態＞
上述したような重度故障情報が記憶されている場合、修理などによって故障が解消したために制御部Ｈが上記メモリに記憶している情報を消去させたいときには、電源４１から制御部Ｈへの電力の供給を停止して、揮発性の上記メモリへの電力の供給を停止すればよい。例えば、本実施形態のガスコンロの電源４１が電池であるときには、操作者が電池を取り外すことで上記メモリに記憶されている情報を消去することができる。また、ガスコンロの電源４１が商用電力であるときには、操作者がその商用電力をガスコンロへ引き込んでいる電気コードのプラグをコンセントから取り外すことで上記メモリに記憶されている情報を消去することができる。このように、例えば、加熱調理器にインストールされる情報消去用の特別なソフトウェアプログラムを、加熱調理器に既存のスイッチ又は複数のスイッチの組み合わせ、或いは、情報消去用に別途設けられる専用のスイッチに対する操作入力に基づいて実行して、上記メモリに記憶されている情報を消去するといった複雑な装置構成及び制御が不要であるため、制御部Ｈの構成を簡略化することができる。
【図面の簡単な説明】
【００３５】
【図１】ガスコンロの斜視図
【図２】ガスコンロの概略構成図
【図３】流量制御弁の構成を示す図
【図４】流量調整状態を示す図
【図５】加熱状態調整部の構成を示す側面図
【図６】加熱状態調整部の操作状態を示す図
【図７】火力表示部を示す図
【図８】ガスコンロの概略構成図
【図９】ガスコンロの動作制御のフローチャート
【図１０】動作開始制御のフローチャート
【図１１】点火・燃焼制御のフローチャート
【図１２】動作停止制御のフローチャート
【符号の説明】
【００３６】
４０  電源スイッチ
４１  電源（電源手段）
Ｈ  制御部（制御手段）
Ｋ  加熱手段
【図１】
2005106338.tif 000003
【図２】
2005106338.tif 000004
【図３】
2005106338.tif 000005
【図４】
2005106338.tif 000006
【図５】
2005106338.tif 000007
【図６】
2005106338.tif 000008
【図７】
2005106338.tif 000009
【図８】
2005106338.tif 000010
【図９】
2005106338.tif 000011
【図１０】
2005106338.tif 000012
【図１１】
2005106338.tif 000013
【図１２】
2005106338.tif 000014